(57)【要約】【課題】本発明の枠調整具は、建築物の開口部に枠を取り付ける際に、前記開口部と枠との位置決めをするための枠調整具に関するものである。【解決手段】本発明の枠調整具は、本体に、調整脚を回転移動させる調整部と、前記調整部を操作駆動する操作部とが一体に設けることができる孔を備えている。前記調整部は、内周に雌ねじ部とが設けられている。前記操作部は、前記調整脚を回転させて、前記本体から突出する長さを調整する。前記調整脚は、前記本体の調整部に設けられた雌ねじ部に螺合する雄ねじ部と、外周に設けられたギア部とから構成されている。前記調整ギアは、操作部に設けられた操作体と直接または間接的に連動しており、下部に前記調整脚の外周に設けたギア部に螺合するように構成されている。前記調整ギアは、前記操作体を回動することにより、ギア部がかみ合って、前記調整脚が回転し、前記調整脚の長さが伸縮する。【選択図】図１
2010196426.tif 000002
【特許請求の範囲】
【請求項１】
開口部と枠との間隔を調整するための枠調整具において、
中心に設けられた第１開孔部と内周に間隔を調整するための雌ねじ部とが設けられている調整部および前記調整部を回転させて長さを調整する操作部が一体に設けられている本体と、
前記調整部に設けられた、前記雌ねじ部に螺合する雄ねじ部、外周に設けられたギア部、および前記第１開孔部と同心に設けられた第２開孔部からなる調整脚と、
前記調整脚の外周に設けられたギア部に螺合して、前記調整脚の長さを調整する前記操作部に設けられた操作体と連動する調整ギアと、
から少なくとも構成されていることを特徴とする枠調整具。
【請求項２】
前記操作部は、前記調整ギアと前記操作体との間にクラッチ機構が設けられていることを特徴とする請求項１に記載された枠調整具。
【請求項３】
前記クラッチ機構は、
前記操作体の内部に設けられている複数個の凹凸部と、
前記凹凸部の凹部と係合する凸部を備え、前記操作体の操作力を前記調整ギアに伝達する板バネ部材と、
から少なくとも構成されていることを特徴とする請求項２に記載された枠調整具。
【請求項４】
前記クラッチ機構は、
前記操作体の内部に設けられている多角形凹部と、
前記多角形凹部と係合する凸部を有し、前記操作体の操作力を前記調整ギアに伝達する一体または別体として前記多角形凹部内に設けられた弾性係合片と、
から少なくとも構成されていることを特徴とする請求項２に記載された枠調整具。
【発明の詳細な説明】
【技術分野】
【０００１】
本発明の枠調整具は、建築物の開口部に枠を取り付ける際に、前記開口部と枠との間隔を位置決するための枠調整具に関するものである。
【背景技術】
【０００２】
従来の枠調整具は、たとえば、特開２００２−２４２５２９号公報に記載されている。前記公報に記載の枠調整具は、建物の開口部に枠を取り付ける際に、間隔を調整する調整部材の固定位置と、前記枠調整具を建物の開口部に取り付ける取付位置とが異なっている。
【先行技術文献】
【特許文献】
【０００３】
【特許文献１】特開２００２−２４２５２９号公報
【発明の概要】
【発明が解決しようとする課題】
【０００４】
前記従来例における枠調整具は、間隔を調整する調整部材の固定位置と、枠調整具の建物の開口部に取り付ける取付位置とが同じ位置になく、異なった位置にあるため、固定時にガタ付く恐れがあった。また、前記固定位置と取付位置が同じ位置で固定されていない枠調整具は、間隔を調整する際に、過大なトルクがかかり、前記枠に傷を付けたり、あるいは前記枠調整具自体が破損するという問題を有した。
【０００５】
以上のような課題を解決するために、本発明は、間隔を調整する調整部材の固定位置と、枠調整具の取付位置とを同じ位置にした枠調整具を提供することを目的とする。また、本発明は、枠調整具の間隔を調整する際に、過大なトルクにより枠あるいは枠調整具に傷を付けないクラッチ機構を備えた枠調整具を提供することを目的とする。
【課題を解決するための手段】
【０００６】
（第１発明）
第１発明の枠調整具は、開口部と枠との間隔を調整するためのものであり、中心に設けられた第１開孔部と内周に間隔を調整するための雌ねじ部とが設けられている調整部および前記調整部を回転させて長さを調整する操作部が一体に設けられている本体と、前記調整部に設けられた、前記雌ねじ部に螺合する雄ねじ部、外周に設けられたギア部、および前記第１開孔部と同心に設けられた第２開孔部からなる調整脚と、前記調整脚の外周に設けられたギア部に螺合して、前記調整脚の長さを調整する前記操作部に設けられた操作体と連動する調整ギアとから少なくとも構成されていることを特徴とする。
【０００７】
（第２発明）
第２発明の枠調整具において、前記操作部は、前記調整ギアと前記操作体との間にクラッチ機構が設けられていることを特徴とする。
【０００８】
（第３発明）
第３発明の枠調整具において、前記クラッチ機構は、前記操作体の内部に設けられている複数個の凹凸部と、前記凹凸部の凹部と係合する凸部を備え、前記操作体の操作力を前記調整ギアに伝達する板バネ部材とから少なくとも構成されていることを特徴とする。
【０００９】
（第４発明）
第４発明の枠調整具において、前記クラッチ機構は、前記操作体の内部に設けられている多角形凹部と、前記多角形凹部と係合する凸部を有し、前記操作体の操作力を前記調整ギアに伝達する一体または別体として前記多角形凹部内に設けられた弾性係合片とから少なくとも構成されていることを特徴とする。
【発明の効果】
【００１０】
本発明によれば、間隔を調整する部材の固定位置と、枠調整具の取付位置とを同じ中心位置になるようにして、固定時に発生するガタ付きを無くすことができた。
【００１１】
本発明によれば、間隔を調整する部材の固定位置と、枠調整具の取付位置とを同じ中心位置になるようにするとともに、間隔を調整する側にクラッチ機構を設けたため、枠調整具に過大なトルクをかけることなく、枠調整具に傷を付けることがない。
【００１２】
本発明によれば、操作部と調整ギアとの間に板バネ部材または弾性係合片を挟んだクラッチ機構により、過大なトルクが調整ギア等にかかり、枠調整具が破損するのを防止することができる。
【図面の簡単な説明】
【００１３】
【図１】本発明の第１実施例であり、枠と開口部に間隔を調整できる枠調整具を説明するための分解図である。（実施例１）
【図２】（イ）は本発明の第１実施例で、枠調整具の正面図、（ロ）は（イ）のＢ−Ｂ断面図、（ハ）は（イ）の底面図、（ニ）は（イ）のＡ−Ａ断面図である。
【図３】本発明の第２実施例であり、（イ）は枠調整具における図２（ロ）のＣ−Ｃ断面図、（ロ）は（イ）のＤ部拡大図である。
【図４】（イ）から（ハ）は第１実施例の枠調整具１を枠２と開口部３の間に取り付けた状態を説明するための図である。
【図５】本発明の実施例１における枠調整具、枠、および開口部との取り付け状態を説明するための図である。
【図６】本発明の第３実施例を説明するための組立図である。
【図７】（イ）は第３実施例の枠調整具正面図、（ロ）は（イ）のＧ−Ｇ断面図、（ハ）は（イ）の底面図、（ニ）は（イ）のＦ−Ｆ断面図である。
【図８】（イ）は図７（ロ）のＨ−Ｈ断面図、（ロ）は（イ）における拡大図である。
【発明を実施するための形態】
【００１４】
（第１発明）
第１発明の枠調整具は、たとえば、建築物の開口部に扉等の枠を取り付けるため、前記開口部と枠との間隔を調整するものである。前記枠調整具は、本体に、前記調整脚を回転移動させる調整部と、前記調整部を操作駆動する操作部とが一体に設けることができる孔を備えている。また、前記調整部は、中心に設けられた第１開孔部と内周に間隔を調整するための雌ねじ部とが設けられている。前記操作部は、操作体により、前記調整部における前記調整脚を回転させて、前記本体から突出する長さを調整するすることにより、前記開口部と枠との距離を調整することができる。
【００１５】
前記調整脚は、前記本体の調整部に設けられた雌ねじ部に螺合する雄ねじ部と、外周に設けられたギア部と、前記調整部の第１開孔部と同心に備えられた第２開孔部とから構成されている。また、前記調整脚は、たとえば、二つの筒体が連設されて、Ｕ字状溝が構成されている。前記雌ねじ部に螺合する雄ねじ部は、前記内側の筒体の外周に設けられている。前記ギア部は、前記外側の筒体の外周に設けられている。
【００１６】
前記調整ギアは、操作部に設けられた操作体と直接または間接的に連動しており、下部に前記調整脚の外周に設けたギア部に螺合するように構成されている。前記調整ギアは、前記操作体を回動することにより、ギア部がかみ合って、前記調整脚が回転し、前記調整脚の長さが伸縮する。前記枠調整具は、本体の調整部における第１開孔部と、前記調整脚の第２開孔部が同心円となるように設けられているため、これらの開孔部を介してネジで開口部等に取り付けると、前記固定された本体と回動する調整脚の中心が一致しているため、前記枠に傷がついたり、あるいは、過大なトルクによって枠調整具が破損することなく、所望の間隔で正しく取り付けることができる。
【００１７】
（第２発明）
第２発明の枠調整具における操作部は、前記調整ギアと前記操作体との間に、所定値以上の操作力が加えられた際に、空転するクラッチ機構が設けられている。前記クラッチ機構は、前記調整脚を開口部にネジ等で固定した後に、前記操作部における操作体を回動させても、前記調整脚の中心と開孔部の中心が一致した状態で、ネジにより固定されているため、前記操作体が空回りして、開口部および枠調整具が破損しない。すなわち、前記枠調整具は、一旦、前記調整脚を固定した場合、前記ネジを緩めてからでないと、操作体が空回りするため、前記調整脚が不用意に移動することがない。
【００１８】
（第３発明）
第３発明の枠調整具におけるクラッチ機構は、前記操作体が筒状体からなり、その内周面に複数個の凹凸部が設けられている有底溝から構成されている。前記有底溝は、前記凹凸部の凹部と係合する凸部を備えた板バネ部材が挿入されている。前記操作体の操作力は、操作体に設けられた凹部と、前記板バネ部材の凸部とが係合することにより、前記調整ギアに伝達され、前記調整脚のギア部が回転する。しかし、前記クラッチ機構は、前記操作体に設けられた凹部と板バネ部材の凸部との係合が、所定値以上の操作力になった場合、外れることにより、操作部を操作しても、前記調整脚が回動しない。
【００１９】
（第４発明）
第４発明の枠調整具におけるクラッチ機構は、前記操作体の内部に成形されている有底筒体の内部に多角形凹部が設けられている。前記多角形凹部は、内部に前記多角形凹部に係合する凸部およびスリットを備えた弾性係合片が挿入されている。前記弾性係合片は、前記操作体と一体または別体に設けることができる。また、前記弾性係合片は、前記凸部が前記多角形凹部に係合することにより、操作体の回動力が前記調整ギアに伝達される。しかし、前記調整脚が開口部に固定された後、前記弾性係合片は、操作部の操作力が所定値以上になった場合、前記凹部またはスリットにより前記多角形凹部内において弾性変形し、両者の係合が解除される。前記弾性係合片は、たとえば、合成樹脂部材から構成される。
【実施例１】
【００２０】
図１は本発明の第１実施例であり、枠と開口部に間隔を調整できる枠調整具を説明するための分解図である。図１において、枠調整具１は、枠２に設けられた穴に取り付けられ、前記枠２と開口部３との間隔を調整するものである。前記枠調整具１は、本体１１と、調整脚１２と、調整ギア１３とから少なくとも構成されている。本体１１は、二つの開孔部を備えているとともに、一方が調整部１１１で、他方が操作部１１２となっている。
【００２１】
前記調整脚１２は、枠２と開口部３との間隔を所定距離にするため、本体１１の調整部１１１内を伸縮自在に回動できる構造になっている。前記調整ギア１３は、操作体１１４に一体または別体に取り付けられ、前記操作体１１４の操作溝１１４′を、たとえば、ドライバーの回動により回転させられる。
【００２２】
図２（イ）は本発明の第１実施例で、枠調整具の正面図、（ロ）は（イ）のＢ−Ｂ断面図、（ハ）は（イ）の底面図、（ニ）は（イ）のＡ−Ａ断面図である。図２（イ）から（ニ）において、前記調整部１１１は、中心に設けられた第１開孔部１１５と、前記第１開孔部１１５の内周に間隔を調整するための雌ねじ部１１３とが設けられている。前記操作部１１２は、操作体１１４の操作溝１１４′を回すことにより、前記調整部１１１における前記調整脚１２の調整ギア１３を回転して、前記枠２と開口部３との間隔を調整することができる。
【００２３】
前記調整脚１２は、図１および図２（ロ）において、内側筒と外側筒とからなるＵ字状溝１２４が成形されている。前記内側筒の外周には、前記本体１１の調整部１１１に設けられた雌ねじ部１１３に螺合する雄ねじ部１２１が設けられている。前記外側筒の外周には、前記調整部１１１の外周に設けられた調整ギア１３に螺合するギア部１２２が設けられている。また、前記調整脚１２は、前記調整部１１１の第１開孔部１１５と同心に備えられた第２開孔部１２３が成形されている。
【００２４】
前記調整ギア１３は、操作部１１２に設けられた操作体１１４の動きと直接または間接的に連動しており、下部に前記調整脚１２の外周に設けたギア部１２２に螺合するように構成されている。前記調整ギア１３は、操作溝１１４′に、たとえば、ドライバー（図示されていない）を当て、前記操作体１１４を回動させることにより、ギア部１２２とかみ合って、前記調整脚１２を回動させ、前記調整脚１２の長さが伸縮する。
【００２５】
前記枠調整具１は、本体１１の調整部１１１における第１開孔部１１５と、前記調整脚１２の第２開孔部１２３が同心となるように設けられているため、これらの開孔部１１５、１２３を介してネジ１５で開口部３等に取り付けると、前記固定された本体１１と回動する調整脚１２の中心が一致しているため、前記枠２に傷がついたり、あるいは、過大なトルクによって枠調整具１が破損することなく、所望の間隔で正しく取り付けることができる。なお、図１および図２において、実施例１は、前記枠調整具１に後述するクラッチ機構が設けられているが、前記操作体１１４と調整ギア１３を一体に構成した場合であり、クラッチ機構の説明を省略してある。前記クラッチ機構は、実施例２および実施例３で説明する。
【実施例２】
【００２６】
図３は本発明の第２実施例であり、（イ）は枠調整具における図２（ロ）のＣ−Ｃ断面図、（ロ）は（イ）のＤ部拡大図である。図３（イ）および（ロ）において、枠調整具１は、前記調整ギア１３と前記操作体１１４との間に、所定値以上の操作力が加えられた際に、空転するクラッチ機構を備えている。
【００２７】
前記クラッチ機構は、前記調整脚１２をネジ１５により固定した後、前記操作部１１２における操作体１１４を回動させても、前記調整脚１２の中心と開孔部１１５の中心が一致した状態で、前記ネジ１５により固定されているため、前記操作体１１４を空回りさせて、開口部および枠調整具が破損しない。前記枠調整具１は、前記調整脚１２を固定した場合、前記ネジ１５を緩めてからでないと、操作体１１４が空回りして回動しないようになっているため、不用意な操作体１１４の回動ができないようになっている。
【００２８】
前記第２実施例におけるクラッチ機構は、図３（ロ）に示すように、前記操作体１１４に内筒１１６と外筒１１７とが一体に構成されている筒状体からなり、前記外筒１１７の内周面に複数個の凹凸部１３４が設けられている有底溝から構成されている。一方、前記内筒１１６には、前記凹凸部１３４の凹部と係合する凸部１３３を備えた板バネ部材１３２が挿入されている。また、前記板バネ部材１３２は、たとえば、両端が折り返された折り返し部１３５となり、溝１３６に係合される。さらに、前記板バネ部材１３２は、固定部１３７により、前記内筒１１６に固定される。
【００２９】
前記操作体１１４は、回動させることにより、前記板バネ部材１３２の凸部１３３と外筒１１７の凹凸部１３４の凹部とが係合して、調整ギア１３およびギア部１２２を介して、調整脚１２を回動させる。前記調整脚１２は、前記操作体１１４の回動により、伸縮し、枠２と開口部３との間隔を所定の距離にする。その後、ネジ１５は、第１開孔部１１５および第２開孔部１２３を介して、開口部３に固定される。前記調整脚１２は、前記ネジ１５により所定の距離を保ち、開孔部３に固定される。
【００３０】
前記調整脚１２の固定は、前記操作体１１４を回動しても、前記板バネ部材１３２の凸部１３３と外筒１１７の内部に設けられた凹部との係合が所定以上の力により外れ、空回りをする。すなわち、前記板バネ部材１３２と前記外筒１１７は、クラッチ機構を構成しているため、枠調整具１が斜めの状態で取り付けられたり、あるいは前記枠調整具１および開口部３を傷つけることがない。
【００３１】
図４（イ）から（ハ）は第１実施例の枠調整具１を枠２と開口部３の間に取り付けた状態を説明するための図である。図４（イ）に示す図は、本体１１の内部に調整脚１２が収納されている状態である。図４（ロ）はドライバー１６によって、操作体１１４が回転され、調整ギア１３が調整脚１２に螺合した状態を示す。前記調整脚１２は、前記操作体１１４の回転により、開口部３と所定の間隔で取り付けられている。図４（ハ）に示す図は、前記調整脚１２が本体１１からいっぱいに突出して開口部３に取り付けられている。
【００３２】
図５は本発明の実施例１における枠調整具、枠、および開口部との取り付け状態を説明するための図である。図５において、枠調整具１は、操作体１１４を回転して、調整脚１２の長さを調整した後、ネジ１５により、開口部３に固定される。
【実施例３】
【００３３】
図６は本発明の第３実施例を説明するための組立図である。図７（イ）は第３実施例の枠調整具正面図、（ロ）は（イ）のＧ−Ｇ断面図、（ハ）は（イ）の底面図、（ニ）は（イ）のＦ−Ｆ断面図である。図８（イ）は図７（ロ）のＨ−Ｈ断面図、（ロ）は（イ）における拡大図である。図６から図８において、第２実施例と異なるところは、クラッチ機構のみである。前記クラッチ機構７１は、前記操作体１１４に内筒１１６と外筒１１７とが一体に構成されている筒状体からなり、前記外筒１１７の内周面が、たとえば、六角孔１１５が成形された有底溝から構成されている。
【００３４】
一方、前記調整ギア１３は、筒体部分に一体または別体に弾性部材７１１が嵌合されている。また、前記弾性部材７１１は、たとえば、複数箇所にスリットまたは溝７１２が設けられて、より弾性を持たせている。前記弾性部材７１１が設けられた、または嵌合された調整ギア１３は、前記操作体１１４の下部から嵌合される。前記弾性部材７１１は、断面がほぼ「へ」または「く」の字状のものを前記調整ギア１３とともに、前記操作体１１４に嵌合することもできる。
【００３５】
前記弾性部材７１１は、前記操作体１１４の筒体に設けられた六角孔１１５に嵌合されている。前記六角孔１１５に嵌合されている前記弾性部材７１１は、前記操作体１１４の回動力が前記調整ギア１３に伝達される。しかし、前記調整脚１２が開口部３に固定された後、前記弾性部材７１１は、操作部１１２の操作力が所定値以上になった場合、弾性により、前記六角形孔１１５内において、弾性変形し、両者の係合が解除され、クラッチ機構となる。前記弾性部材７１１は、たとえば、合成樹脂部材からなる弾性体、前記弾性体にスリットまたは溝を形成させ、必要な弾性を持たせて、調整ギア１３に一体または別体に設けられている。
【００３６】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の枠調整具は、各部材の形状を変更することができることはいうまでもない。また、前記枠調整具の材質は、周知または公知のものから作製される。
【符号の説明】
【００３７】
１・・・枠調整具
２・・・枠
３・・・開口部
１１・・・本体
１１１・・・調整部
１１２・・・操作部
１１３・・・雌ねじ
１１４・・・操作体
１１４′・・・操作溝
１１５・・・第１開孔部
１１６・・・内筒
１１７・・・外筒
１２・・・調整脚
１２１・・・雄ねじ
１２２・・・ギア部
１２３・・・第２開孔部
１２４・・・Ｕ字状溝
１３・・・調整ギア
１３１・・・突出部
１３２・・・板バネ部材
１３３・・・凸部
１３４・・・凹凸部
１３５・・・折り返し部
１３６・・・溝
１３７・・・固定部
１５・・・ネジ
１６・・・ドライバー
【図１】
2010196426.tif 000003
【図２】
2010196426.tif 000004
【図３】
2010196426.tif 000005
【図４】
2010196426.tif 000006
【図５】
2010196426.tif 000007
【図６】
2010196426.tif 000008
【図７】
2010196426.tif 000009
【図８】
2010196426.tif 000010